(57)【特許請求の範囲】
【請求項１】
所定数の文字コードの図形文字を表示可能な第１のフォントメモリを有し、システムに登録あるいは入力する種々の文字列情報の入力操作および可視表示をするための操作表示手段と、
上記第１のフォントメモリよりも表示可能な文字コードの数が多い第２のフォントメモリを有し、記録出力する種々のレポート画像を作成する機能を有するシステムユニット手段を備え、
上記操作表示手段から上記第１のフォントメモリには含まれないが上記第２のフォントメモリには含まれる文字コードが入力されたときには、当該文字コードを所定の代替文字パターンを用いて表示するとともに、入力された文字コードを保持し、当該文字コードを含む文字列情報が登録指令された場合には、その文字列情報をそのまま上記システムユニット手段にて登録することを特徴とするファクシミリ装置。
【請求項２】
前記操作表示手段において、前記上記第１のフォントメモリには含まれないが前記第２のフォントメモリには含まれる文字コードの入力は、所定の拡張コード入力モードが指定された場合になされることを特徴とする請求項１記載のファクシミリ装置。
【請求項３】
前記代替文字パターンは、空白文字以外を適用することを特徴とする請求項１または請求項２記載のファクシミリ装置。
【発明の詳細な説明】
【０００１】
【発明の属する技術分野】
本発明は、安価な操作表示手段を有するファクシミリ装置に関する。
【０００２】
【従来の技術】
ファクシミリ装置は、ファクシミリ通信機能を実現するための通信ユニット、原稿画像を読み取るためのスキャナユニット、受信原稿や種々のレポートを記録出力するためのプロッタユニット、装置の操作を行ったり種々の情報の登録を行うための操作表示ユニット、および、これらの各ユニットを統合してファクシミリ装置として機能させるためのシステムユニット等の複数の機能ユニットから構成されている。
【０００３】
また、それぞれの機能ユニットは独立しているため、おのおのの機能ユニットの機能レベルを適宜に設定することで、設計者は、所望する機能のファクシミリ装置を構築することができることとなる。
【０００４】
【発明が解決しようとする課題】
さて、主要な機能レベルを落とさずにより安価なファクシミリ装置を設計しようとすると、操作表示ユニット等のコストを低下させると言うことが考えられる。操作表示ユニットとして、よりコストの低いものを適用する場合、例えば、操作入力された文字（図形文字）の表示機能において、より表示可能な文字コードの数が少ないフォントメモリ、例えば、漢字コードのうち、第二水準の漢字のためのデータを備えていないフォントメモリを使用する。
【０００５】
この場合、システムユニットでは、操作表示ユニットよりもより多くの文字を表示できるフォントメモリを備えている場合があり、この場合、システムユニットで利用できる文字を、操作表示ユニットでは操作入力することができないため、例えば、ワンタッチダイアルに登録する名称等に使用できる文字が少なくなると言う不具合が生じていた。
【０００６】
本発明は、かかる実情に鑑みてなされたものであり、安価な操作表示ユニットを備えてもより多くの文字の種類を種々の登録情報等に適用することができるファクシミリ装置を提供することを目的としている。
【０００７】
【課題を解決するための手段】
本発明は、所定数の文字コードの図形文字を表示可能な第１のフォントメモリを有し、システムに登録あるいは入力する種々の文字列情報の入力操作および可視表示をするための操作表示手段と、上記第１のフォントメモリよりも表示可能な文字コードの数が多い第２のフォントメモリを有し、記録出力する種々のレポート画像を作成する機能を有するシステムユニット手段を備え、上記操作表示手段から上記第１のフォントメモリには含まれないが上記第２のフォントメモリには含まれる文字コードが入力されたときには、当該文字コードを所定の代替文字パターンを用いて表示するとともに、入力された文字コードを保持し、当該文字コードを含む文字列情報が登録指令された場合には、その文字列情報をそのまま上記システムユニット手段にて登録するようにしたものである。
【０００８】
また、前記操作表示手段において、前記上記第１のフォントメモリには含まれないが前記第２のフォントメモリには含まれる文字コードの入力は、所定の拡張コード入力モードが指定された場合になされる。また、前記代替文字パターンは、空白文字以外を適用する。
【０００９】
【発明の実施の形態】
以下、添付図面を参照しながら、本発明の実施の形態を詳細に説明する。
【００１０】
図１は、本発明の一実施例にかかるグループ３ファクシミリ装置を示している。
【００１１】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００１２】
スキャナ５は、所定の解像度で原稿画像を読み取るためのものであり、プロッタ６は、所定の解像度で画像を記録出力するためのものであり、フォントメモリ７は、いわゆるＪＩＳ漢字コードの英数文字、かな文字、第一水準および第二水準の漢字を表示するための文字パターンデータを記憶したものであり、このグループ３ファクシミリ装置で管理する種々のレポートを編集し、記録出力するために用いられる。
【００１３】
操作表示部８は、このグループ３ファクシミリ装置を操作するためのもので、各種の操作キー、および、各種の表示器からなる。
【００１４】
符号化復号化部９は、画信号を符号化圧縮するとともに、符号化圧縮されている画情報を元の画信号に復号化するためのものであり、画像蓄積装置１０は、符号化圧縮された状態の画情報を多数記憶するためのものである。
【００１５】
グループ３ファクシミリモデム１１は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００１６】
網制御装置１２は、このグループ３ファクシミリ装置をアナログ公衆網ＰＳＴＮに接続するためのものであり、自動発着信機能を備えている。
【００１７】
これらの、システム制御部１、システムメモリ２、パラメータメモリ３、時計回路４、スキャナ５、プロッタ６、フォントメモリ７、操作表示部８、符号化復号化部９、画像蓄積装置１０、グループ３ファクシミリモデム１１、および、網制御装置１２は、内部バス１３に接続されており、これらの各要素間でのデータのやりとりは、主としてこの内部バス１３を介して行われている。
【００１８】
また、網制御装置１２とグループ３ファクシミリモデム１１との間のデータのやりとりは、直接行なわれている。
【００１９】
図２は、操作表示部８の概略構成例を示している。
【００２０】
同図において、制御部２１は、この操作表示部８の種々の処理を行うためのものであり、表示ユニット２２は、ユーザに対して種々の情報を表示するためのものであり、例えば、液晶表示器などの表示ユニットを備える。
【００２１】
キーユニット２３は、スタートキー、ストップキー、クリアキー、テンキー、ワンタッチダイアルキー、および、ファンクションキー等、ユーザが操作するために設けられた種々のキースイッチからなる。
【００２２】
フォントメモリ２４は、いわゆるＪＩＳ漢字コードの英数文字、かな文字、および、第一水準の漢字を表示するための文字パターンデータを記憶したものであり、この操作表示部８において、表示ユニット２２に図形文字を表示出力する際に用いられる。
【００２３】
このようにして、本実施例では、グループ３ファクシミリ装置のシステムユニット側に備えられているフォントメモリ７は、ＪＩＳ漢字コードの英数文字、かな文字、第一水準および第二水準の漢字を表示するための文字パターンデータを記憶する一方で、操作表示部８に備えられているフォントメモリ２４は、ＪＩＳ漢字コードの英数文字、かな文字、および、第一水準の漢字を表示するための文字パターンデータを記憶している。
【００２４】
すなわち、この場合、操作表示部８では、第二水準の漢字は表示することができないが、システムユニット側では、第二水準の漢字を適切に処理することができることとなる。
【００２５】
一方、システムユニット側では、例えば、ワンタッチダイアルキーに登録する宛先名称として、第二水準の漢字を適用したいという要求がある。登録された第二水準の漢字を含む宛先名称は、操作表示部８では直接表示できないが、例えば、ワンタッチダイアルキーの登録一覧レポートなどでは、システムユニット側で編集作成するので、適切に表示することができることとなる。
【００２６】
そこで、本実施例では、例えば、ワンタッチダイアルキーへの名称登録時、拡張コード入力を指定することで、第二水準の漢字の漢字コードを入力することができるようにした。
【００２７】
例えば、図３（ａ）の名称登録画面において、拡張コード入力が指定されると、同図（ｂ）に示すように、拡張コード入力画面が表示され、ユーザがそれに対して、同図（ｃ）に示すように、区点コードを用いて所望する第二水準の漢字の漢字コードを入力する。この場合の区点コード「５００１」は「辧」という漢字に対応するものである。
【００２８】
このとき、入力された漢字コードの漢字（の表示パターン）は、フォントメモリ２４には含まれないため、当該漢字を操作表示部８は直接表示することができないので、同図（ｄ）に示すように、黒丸（●）を用いて代替表示する。
【００２９】
次いで、これにより名称登録が終了したので、ユーザが登録終了を指令すると、同図（ｅ）に示すように、登録確認の画面が表示され、それに対して、ユーザが登録する旨を指令すると、同図（ｆ）に示すように、登録終了画面が表示されて、そのときに登録操作した内容がシステムへ保存される。
【００３０】
このとき、操作表示部８において、入力文字のコードデータを保持する入力バッファには、図４に示すように、「あ」に対応した区点コード「０４０１」、「い」に対応した区点コード「０４０４」、「う」に対応した区点コード「０４０６」、「え」に対応した区点コード「０４０８」、および、「辧」に対応した区点コード「５００１」が入力されている。
【００３１】
本実施例では、入力バッファに保持されているそれぞれの文字コードを表示する際、その文字コードがフォントメモリ２４で表示可能な場合には、対応する文字パターンを読み出して表示ユニット２２の対応する表示位置に表示するが、その文字コードがフォントメモリ２４で表示できない場合には、「●」の文字パターンを読み出して表示ユニット２２の対応する表示位置に表示する。
【００３２】
そして、名称登録を終了すると、その旨ユーザが操作入力し、それにより、操作表示部８では、同図（ｅ）に示すような登録確認ガイダンスメッセージを表示し、ユーザがそれに対して、ＯＫを選択すると、入力された文字列（すなわち、文字コード列としては「０４０１，０４０４，０４０６，０４０８，５００１」）をシステム側へ登録し、同図（ｆ）に示すような登録完了メッセージを表示する。
【００３３】
また、例えば、この「あいうえ辧」という名称が登録されているワンタッチダイアルキーが、送信操作時に宛先として選択操作された場合、上述と同様の表示処理が行われるので、操作表示部８には、宛先名称として、「あいうえ●」が表示される。
【００３４】
図５および図６は、名称登録時の処理の一例を示している。
【００３５】
まず、登録する項目（ワンタッチダイアルキー番号等）が指定されると（処理１０１）、図３（ａ）に示したような登録画面を表示し（処理１０２）、拡張コード入力が指令されるか、通常の文字入力操作がされるか、カーソル移動が操作されるか、あるいは、登録完了が指示されることを監視する（判断１０３，１０４，１０５，１０６のＮＯループ）。
【００３６】
拡張コード入力が指令された場合で、判断１０３の結果がＹＥＳになるときには、図３（ｂ）に示したような拡張コード入力画面を表示して、ユーザが入力終了を指示するまで、区点コードによる拡張コード入力操作を行う（処理１１０，１１１、判断１１２のＮＯループ）。
【００３７】
拡張コード入力が終了して、判断１１２の結果がＹＥＳになると、そのときに入力された区点コードを入力バッファにセットし（処理１１３）、そのときの文字入力位置であるカーソル位置に代替文字パターン（この場合は「●」）を表示して（処理１１４）、表示画面を更新し（処理１１５）、処理１０２へ戻って、それ以降の処理を繰り返す。
【００３８】
また、通常の文字入力操作がされた場合で、判断１０４の結果がＹＥＳになるときには、所定の通常文字入力処理を行い（処理１１６）、そのときに入力された文字コードを入力バッファにセットし（処理１１７）、そのときの文字入力位置であるカーソル位置に対応する文字パターンを表示して（処理１１８）、処理１１５へ移行し、表示画面を更新し、処理１０２へ戻って、それ以降の処理を繰り返す。
【００３９】
また、カーソル移動が操作された場合で、判断１０５の結果がＹＥＳになるときには、所定のカーソル移動処理を行い（処理１１９）、処理１１５へ移行し、表示画面を更新し、処理１０２へ戻って、それ以降の処理を繰り返す。
【００４０】
また、登録完了が指示された場合で、判断１０６の結果がＹＥＳになるときには、所定の登録確認画面を表示し（処理１２０）、ユーザが登録する旨を指令するかどうかを調べ（判断１２１）、判断１２１の結果がＹＥＳになる場合には、そのときの入力バッファの内容を、指定された項目の内容として、システムへ保存し（処理１２２）、このときの処理を終了する。
【００４１】
ところで、ワンタッチダイアル情報等の種々の登録情報は、例えば、パラメータメモリ３に保存されるが、それぞれの登録項目、例えば、あるワンタッチダイアル登録情報等は、それぞれが特定のアドレスに保存される。
【００４２】
例えば、ワンタッチダイアルキー０１に登録した名称（「あいうえ辧」）のデータは、図７に示すように、アドレス「１２５０，１２５１」に１文字目の文字コード「０４０１」が、アドレス「１２５２，１２５３」に２文字目の文字コード「０４０４」が、アドレス「１２５４，１２５５」に３文字目の文字コード「０４０６」が、アドレス「１２５６，１２５７」に４文字目の文字コード「０４０８」が、アドレス「１２５８，１２５９」に５文字目の文字コード「５００１」が、それぞれ保存される。
【００４３】
したがって、ユーザは、このアドレスを直接指定して登録項目の内容を、保存するように指定することもできる。このように、アドレスを直接指定してデータを入力する方法は、主として、サービスマンの操作として行うことができるように設定されているのが普通である。
【００４４】
例えば、図８（ａ）の名称登録画面において、拡張コード入力が指定されると、同図（ｂ）に示すように、アドレス入力画面が表示され、ユーザがそれに対して、アドレス（この場合は、「１２５８」）を入力すると、同図（ｃ）に示すように、区点コードの第１パート（区コード）を入力要求する画面が表示され、それに対して、区コードを入力すると（同図（ｄ）参照）、同図（ｅ）に示すように、区点コードの第２パート（点コード）を入力要求する画面が表示される。このとき、自動的に入力アドレスが更新されて設定される。
【００４５】
それに対して、ユーザが点コードを入力すると（同図（ｆ）参照）、同図（ｇ）に示したように、名称登録画面の表示にそのときに入力した文字の表示内容（「●」）が追加される。
【００４６】
次いで、これにより名称登録が終了したので、ユーザが登録終了を指令すると、同図（ｈ）に示すように、登録確認の画面が表示され、それに対して、ユーザが登録する旨を指令すると、同図（ｉ）に示すように、登録終了画面が表示されて、そのときに登録操作した内容がシステムへ保存される。
【００４７】
図９および図１０は、この場合の名称登録時の処理の一例を示している。
【００４８】
まず、登録する項目（ワンタッチダイアルキー番号等）が指定されると（処理２０１）、図８（ａ）に示したような登録画面を表示し（処理２０２）、拡張コード入力が指令されるか、通常の文字入力操作がされるか、あるいは、登録完了が指示されることを監視する（判断２０３，２０４，２０５のＮＯループ）。
【００４９】
拡張コード入力が指令された場合で、判断２０３の結果がＹＥＳになるときには、図８（ｂ）に示したようなアドレス入力画面を表示し、ユーザに登録するアドレスを入力させ（処理２１０）、ユーザがアドレスを入力すると、図８（ｃ）に示した区コード入力画面を表示し、ユーザが入力終了を指示するまで、区コードの入力操作を行う（処理２１１、判断２１２のＮＯループ）。
【００５０】
区コードの入力が終了して、判断２１２の結果がＹＥＳになると、アドレスを１つ増やして、入力アドレスを更新し（処理２１３）、図８（ｅ）に示した点コード入力画面を表示し、ユーザが入力終了を指示するまで、点コードの入力操作を行う（処理２１４、判断２１５のＮＯループ）。
【００５１】
点コードの入力が終了して、判断２１５の結果がＹＥＳになると、そのときに入力された区点コードを入力バッファにセットし（処理２１６）、そのときの文字入力位置であるカーソル位置に代替文字パターン（この場合は「●」）を表示して（処理２１７）、表示画面を更新し（処理２１８）、処理２０２へ戻って、それ以降の処理を繰り返す。
【００５２】
また、通常の文字入力操作がされた場合で、判断２０４の結果がＹＥＳになるときには、所定の通常文字入力処理を行う。すなわち、図８（ｂ）に示したようなアドレス入力画面を表示し、ユーザに登録するアドレスを入力させ（処理２２０）、ユーザがアドレスを入力すると、図８（ｃ）に示した区コード入力画面を表示し、ユーザが入力終了を指示するまで、区コードの入力操作を行う（処理２２１、判断２２２のＮＯループ）。
【００５３】
区コードの入力が終了して、判断２２２の結果がＹＥＳになると、アドレスを１つ増やして、入力アドレスを更新し（処理２２３）、図８（ｅ）に示した点コード入力画面を表示し、ユーザが入力終了を指示するまで、点コードの入力操作を行う（処理２２４、判断２２５のＮＯループ）。
【００５４】
点コードの入力が終了して、判断２２５の結果がＹＥＳになると、そのときに入力された区点コードを入力バッファにセットし（処理２２６）、そのときの文字入力位置であるカーソル位置に対応する文字パターンを表示して（処理２２７）、処理２１８へ移行し、表示画面を更新し、処理２０２へ戻って、それ以降の処理を繰り返す。
【００５５】
また、登録完了が指示された場合で、判断２０５の結果がＹＥＳになるときには、所定の登録確認画面を表示し（処理２３０）、ユーザが登録する旨を指令するかどうかを調べ（判断２３１）、判断２３１の結果がＹＥＳになる場合には、そのときの入力バッファの内容を、指定された項目の内容として、システムへ保存し（処理２３２）、このときの処理を終了する。
【００５６】
ところで、上述したようなアドレスを指定して、登録項目の名称等の文字コードを入力（更新）する処理は、このグループ３ファクシミリ装置に対する保守サービスの適用範囲として設定される場合がある。また、保守サービス等のサービスを行う際、センタ装置より遠隔に行うことができる。
【００５７】
この場合、図１１に示すように、センタ装置が対象となるグループ３ファクシミリ装置（着側装置）へ発呼し、伝送前手順において、保守モードである旨を信号ＮＳＳ（１）を用いて通知するとともに、アドレスと書き換えるデータを次の信号ＮＳＳ（２）を用いて送信する。例えば、信号ＮＳＳ（２）のＦＩＦには、図１２に示すように、書き換える領域のアドレス（アドレス＃１，＃２）と、書き換えるデータの長さをあらわすデータ長、および、書き換えるデータ（データ＃１，＃２）が含まれる。
【００５８】
着側装置では、伝送前手順で受信した信号ＮＳＳ（１）の内容を調べて、保守モードである旨を認識すると、応答信号として信号ＣＦＲを送出し、次に、信号ＮＳＳ（２）を受信すると、応答信号として信号ＣＦＲを送出する。これにより、センタ装置は、信号ＤＣＮを送出して、この保守通信動作を終了する。
【００５９】
一方、着側装置は、信号ＮＳＳ（２）のＦＩＦから書き換える領域のアドレス（アドレス＃１，＃２）と、書き換えるデータの長さをあらわすデータ長、および、書き換えるデータ（データ＃１，＃２）を抽出し、パラメータメモリ３のアドレス＃１，＃２で指定された領域の内容を、データ＃１，＃２の内容で書き換える。
【００６０】
【発明の効果】
以上説明したように、本発明によれば、所定数の文字コードの図形文字を表示可能な第１のフォントメモリを有し、システムに登録あるいは入力する種々の文字列情報の入力操作および可視表示をするための操作表示手段と、上記第１のフォントメモリよりも表示可能な文字コードの数が多い第２のフォントメモリを有し、記録出力する種々のレポート画像を作成する機能を有するシステムユニット手段を備え、上記操作表示手段から上記第１のフォントメモリには含まれないが上記第２のフォントメモリには含まれる文字コードが入力されたときには、当該文字コードを所定の代替文字パターンを用いて表示するとともに、入力された文字コードを保持し、当該文字コードを含む文字列情報が登録指令された場合には、その文字列情報をそのまま上記システムユニット手段にて登録するようにしたので、安価な操作表示ユニットを備えてもより多くの文字の種類を種々の登録情報等に適用することができるという効果を得る。
【図面の簡単な説明】
【図１】本発明の一実施例にかかるグループ３ファクシミリ装置の構成例を示したブロック図。
【図２】操作表示部８の概略構成例を示したブロック図。
【図３】名称登録時の操作の一例を説明するための概略図。
【図４】入力バッファに入力されたデータを説明するための概略図。
【図５】名称登録時の処理の一例を示したフローチャート。
【図６】名称登録時の処理の一例を示したフローチャート（続き）。
【図７】ワンタッチダイアル情報等の種々の登録情報の格納態様を説明するための概略図。
【図８】名称登録時の操作の他の例を説明するための概略図。
【図９】名称登録時の処理の他の例を示したフローチャート。
【図１０】名称登録時の処理の他の例を示したフローチャート（続き）。
【図１１】センタ装置がグループ３ファクシミリ装置に対して、保守作業を行う場合の伝送手順の一例を示したタイムチャート。
【図１２】信号ＮＳＳ（２）のＦＩＦに含まれるデータの一例を示した概略図。
【符号の説明】
１  システム制御部
２  システムメモリ
３  パラメータメモリ
７，２４  フォントメモリ
２１  制御部
２２  表示ユニット
２３  キーユニット
【図１】
0004087088.tif 000002
【図２】
0004087088.tif 000003
【図３】
0004087088.tif 000004
【図４】
0004087088.tif 000005
【図５】
0004087088.tif 000006
【図６】
0004087088.tif 000007
【図７】
0004087088.tif 000008
【図８】
0004087088.tif 000009
【図９】
0004087088.tif 000010
【図１０】
0004087088.tif 000011
【図１１】
0004087088.tif 000012
【図１２】
0004087088.tif 000013